(57)【要約】      （修正有）【課題】光透過率と色を調整出来る偏光サングラスを提供する。【解決手段】レンズ部分に表裏２枚の横幅／縦幅の比が１.０５以上１.５以下の偏光板を使用し、表側偏光板は偏光吸収軸が水平方向を向くように枠に固定し、枠の裏面には枠に沿って環状のレールを作り、糸をレールにたすき掛けして、糸に左右の裏面偏光板をつなぎ、左右の裏面偏光板を同時に回転出来るようにし、裏面偏光板の吸収軸方向の直線偏光の光透過率が表面側偏光板の吸収軸方向の直線偏光の光透過率の１０倍以上とするか、または、１０倍未満の時は、レール上に障壁となる突起を設けて、裏面偏光板の吸収軸が水平に対し６０度以下となるようにした。【選択図】図４
0003199581.tif 000002
【実用新案登録請求の範囲】
【請求項１】
サングラスのレンズ部分が表裏２枚の横幅／縦幅の比が１、０５以上１、５以下の偏光板から成り、表面の偏光板の直線偏光の吸収軸が水平方向を向いた偏光サングラスの裏面に、サングラスの枠に沿ってレールを作り、左目と右目の裏面偏光板をレールの上をスライドするようにした糸でレールに結び付け、一方の裏面偏光板を動かすことで、左右の裏面偏光板を同時に回転出来るようにしたサングラスであって、裏面の偏光板の吸収軸方向の直線偏光の透過率が前面の偏光板の吸収軸方向の直線偏光の透過率のX倍のとき、裏面の偏光板の直線偏光の吸収軸方向が前面の偏光板の吸収軸方向に対して０度からY度までの区間の間で６０度以下回転出来るようにしたもので、Xが１０以上のときY=９０、Xが１０以下のときY＝７０であるもの
【考案の詳細な説明】
【技術分野】
【０００１】
本考案は、通常の偏光サングラスの機能を持ち、しかも、天候が変わったり、トンネル中や夕刻など、周囲の明るさが変わったときの光透過率の調整と、ゴルフや他のスポーツで芝の色や周囲の色に合わせて遮光したい時、色も変えられるサングラスに関わるものである。
【背景技術】
【０００２】
従来、偏光サングラスは釣りなどのとき水面下の魚などが見る事が出来る役目と、陽射しの強い時、太陽光から目を守るための役目が有った。しかし、陽射しの強い昼間に合わせて遮光すると、夕刻や、車の運転でトンネルに入った場合、曇天の場合など、視界が暗くなる欠点が有った。またスポーツでは、遮光してもゴルフの芝の色や、テニスのカラーボールの色などを見やすくするため色を変えたサングラスも販売されている。このために、同一人が複数のサングラスを必要とし、実際、多種類のサングラスを購入して、場合に応じて種類の違うサングラスを使用している者もいるのが現状である。本発明はこのように多種類のサングラスを購入や携帯する必要がなく、一つで全ての役割を果たすサングラスを与える技術に関するものである。これに類した従来の技術としては、光透過率を変える技術として、電子サングラスや、ホトクロミックサングラス等が知られていたが、電子サングラスは高価で、ホトクロミックサングラスは変色が遅い。偏光板を２枚使うサングラスも考えられているが、偏光板を回転させるのに左右の調整を別々にするため、運転時等の調整には不自由な欠点が有った事と、偏光板を９０度回転させるため眼鏡フレームが円形をしている必要が有った。メガネは本人の容貌に影響し、容貌を損ねることは重大な欠点で、目が横長なのに対し真円形の眼鏡は著しく自然さを欠く欠点が有った。また、従来、周囲の色に応じて色が変わるサングラスも知られていなかった。
【先行技術文献】
【特許文献】
【０００３】
【特許文献１】特開平６−２７４２５
【特許文献２】特開平６−１８６５０９
【特許文献３】特開２０００−１７１７６０
【特許文献４】登録実用新案第３０３１６５２号
【考案の概要】
【考案が解決しようとする課題】
【０００４】
過去、光透過率を調整するためにサングラスのレンズ部分に２枚の偏光板を使い、一方の偏光板を９０度回してサングラスの光透過率を大幅に変えることが出来る特許が出願されているが、回転の為にレンズに相当する偏光板が円形である必要が有り、目の横長の形状や顔の自然な形状にそぐわず容姿を損ねる欠点が有ることと、左右の偏光板を手で別々に調整する面倒が有る事、また、偏光サングラスの特長である水面の反射光を除く役割が９０度回転すると無くなる欠点も有った。顔は容貌を決め、容貌を損ねるのは重大な欠点で、幾何学的な真円形のサングラスは人間の自然な容貌を損ねる意味で実用に劣る物と見られ、また、左右のレンズ部分を別々に回転するため、運転中に回転するのも不自由であった。通常の眼鏡やサングラスのレンズ部分は横長で横／縦の比が１、１から１、４程度まであり、一方のレンズを９０度回転した場合、２枚の偏光板に５から１０ｍｍ程度重ならない部分が出来、通常のメガネフレームでは収まらない。９０度回転しなくても、５０度程度の回転で良ければ、２枚の偏光板のズレは大幅に抑えられる事が考えられる。そこで、５０度程度で光透過率を調整できないかと、回転側の偏光板をフレームに収めない方法とを考えた。また、従来、サングラスは、種々の色のサングラスが売られ、状況に応じて使い分けられている状況も有る。２枚の色の違う偏光板の一方を回転させれば、サングラスの色を変化させることも出来ると考えられる。これらの機能を同時に満たすサングラスが出来ないかを考えた。
【課題を解決するための手段】
【０００５】
偏光板を２枚重ねて、光透過率の調整、透過光の色の調整をする事を考える。以下、通常の表示法により、偏光板の面内で直線偏光の電場の透過が最大になる電場方向を偏光板の透過軸、それと直交する方向を偏光板の吸収軸とする。また、横方向からの入射波を水平方向の電場を持つ直線偏光と鉛直方向の電場を持つ直線偏光に分け、前者を水平光、後者を鉛直光と略すこととする。
先ず、２枚の偏光板を重ね、一方を回転した時の、偏光板の吸収軸間の角度と光透過率の関係を市販の偏光板についてジョーンズの方法で計算すると図１の光透過率の様になる。グラフから、吸収軸間の角度が０から２０度と、８０から９０度の間では光透過率の変化は少なく、吸収軸間の角度が２０度から８０度の間で光透過率は7倍ほど変化する。また、市販の黒系偏光板と茶系偏光板を重ね角度を変えると図２の如く、吸収軸間の角度が３０から４０度近くでは４００から８００nmの色が混ざって元の偏光板の茶系の色となっているのに対し、８０から９０度ではほとんど赤のみが強調された色になっている。従って、色の違う偏光板を組み合わせ吸収軸間の角度を変化させれば、サングラスの色が変わる物も出来る。一般に、２枚の偏光板による透過率の変化も、色の変化も吸収軸間の角度が２０から８０度の間で変化が大きい。表面の偏光板はサングラスのフレームで固定し、裏面の偏光板を５０から６０度程度回転出来る様にすれば変化の大きいものが出来る。このための回転には、図３の如く、従来の偏光サングラスのフレーム枠を太めにして枠の裏面にレールを彫り、図4の如く偏光板を結んだ糸をレール上を移動するようにして、糸の移動に伴って偏光板が回転出来るようにすれば良い。これによって光透過率や色が変わるサングラスを安価に作ることが出来る。
しかし、サングラスのレンズ部分は右目と左目に２枚あり、両方を別々に回転しても良いが、車の運転中などでは両方を同時に回転できることが安全上好ましい。図４は片目に相当するサングラスの構造を示したものであるが、これを図５の如く、もう片目の部分も同様のレールに偏光板を結んだ糸をかければ、一方の裏面偏光板を回転する事で糸がレールに沿って動いて、もう一方の裏面偏光板も回転できる様になる。レールはフレーム枠の全周囲に付けても、一部に付けても良く、糸もレールの全周囲に掛けても、一部に掛けても良い。回転操作のために突起、または小さなレバーの様な物が有った方が好ましい。
メガネは容貌に影響し、容貌を損なわないことは重要である。目は横長で容貌が損なわれないためにはサングラスも横長が好ましい。しかし、前面の偏光板と後面の偏光板が横長の形をしている場合、後面の偏光板を回転した時前面の偏光板との間にズレが生じる。このため、横／縦の比率を１に近くし、なるべく楕円形に近い物にすれば、回転による表面の偏光板と裏面の偏光板のズレが少なくてすむ。例として、レンズ部分の表裏に同じ楕円形の横／縦比１、３の偏光板を２枚重ね、裏面の偏光板を回転させたときの表面と裏面の偏光板のズレを図６、図７に、ズレ（偏光板の中央から楕円のヘリまでの距離のズレとして）の大きさを表１に示す。楕円の横／縦比を１、２倍にし、３０度回転させたときのズレは最大２、２ｍｍ、横／縦比を１、４倍にし２０度回転させた時は最大２、７ｍｍになり、裏面の偏光板を表面のサングラスの枠に収める場合、レールの大きさを偏光板より大きめにし、そのぶん眼鏡枠を３から４ｍｍ程度に太めにするか、裏面の偏光板を小さめにすれば回転しても眼鏡枠に収まる。しかし、糸で回転させる場合、図８に示す如く、眼鏡枠を太くしなくても糸のみをレールにかけ、偏光板は枠からはみ出す様にしても良い。しかし、その場合でも、表面の偏光板の枠と裏面の偏光板とのズレが出来、ズレをレールにかけた糸と偏光板の縁を繋ぐ糸で補う必要のため、ズレが大きなものにすると操作性が悪くなる。要するに、裏面偏光板を枠の中で回転するようにしても、枠からはみ出すようにしても、表面の偏光板も裏面の偏光板も、横／縦比１、５以下、回転角度は６０度（＝左右３０度）以下とするのが好ましい。
これによって光透過率を大きく変えられるが、従来の偏光サングラス並みに水面や、道路上の偏光を遮光する場合、水平光の透過率が、鉛直光の透過率に比べて大幅に小さい必要が有る。図1の市販の同じ偏光板２枚を使った場合について、表面の偏光板の吸収軸を水平方向（０度とする）にし、裏面の偏光板の角度を変えた時の水平光の透過率と鉛直光の透過率を分けて図１に示してあるが、表面と裏面の偏光板の吸収軸がいずれも水平方向のときは、鉛直光の透過率は水平光の透過率の千倍レベルであるが、表面の偏光板の吸収軸を水平とし、裏面の偏光板の吸収軸を水平に対し８０から９０度とすると、鉛直光の透過率と水平光の透過率は同等になり、水平光の反射で水中などを見ることは難しくなる。これは、水平光の透過率＝表面の偏光板の吸収軸方向透過率×裏面の偏光板の透過軸方向透過率が、鉛直光の透過率＝表面の偏光板の透過軸方向の透過率×裏面の偏光板の吸収軸方向の透過率と同等になるためである。すなわち、水平光の遮光では鉛直光の遮光は起こらない方が良く、裏面の偏光板の吸収軸を９０度に近づけたときも、鉛直光の遮光が水平光の遮光の数十分の１程度である必要が有る。このためには（透過軸方向の透過率は、サングラスの最大透過率を高くするため、前後の偏光板とも透過率が８０から９０％と同等程度である必要が有るため）、鉛直光の遮光を減らすには、裏面の偏光板の吸収軸方向の透過率を表面の偏光板の吸収軸方向の透過率より数十倍高くするか、図１によって裏面の偏光板の角度を７０度以下とする必要が有る。要するに、裏面の偏光板の角度を変えても水面などからの水平の電場を持つ偏光を遮光するためには、表面の偏光板の吸収軸を水平にしたまま、裏面の偏光板の吸収軸方向の透過率を表面の偏光板の吸収軸方向の透過率の数十倍とするか、または、裏面の偏光板の吸収軸の角度を７０度以下とし、０から７０度の範囲で回転するようにすれば良い。
以上、水面などの反射光を避け、透過率や色を調整出来るサングラスが出来るが、透過率の調整で裏面の偏光板の回転角度が分かるように、レール上に数か所、回転にわずかの抵抗をもたらすような障害を設けても良い。枠に付けるレールはレンズ部分の周囲全体に付けても良く、一部だけ付けても良い。糸をレールにかける場合は糸もレンズ部分の周囲全体に掛けても良く、一部だけに掛けても良い。偏光板はヨウ素系でも、染料系でも良く、偏光板の保護フィルムはセルロースフィルムや、アクリルフィルム、ポリエステルその他もフィルムを使ったものでも良い。
【表１】
0003199581.tif 000003
【考案の効果】
【０００６】
従来、周囲の状況、暗さなど、環境によってサングラスが見にくくなる場合が有ったが、本考案のサングラスによって、殆どの環境に対応できるサングラスが出来る。
【図面の簡単な説明】
【０００７】
【図１】偏光板を角度を変えて重ねたときの、光透過率と水平光(偏光）の透過率、鉛直光（偏光）の透過率
【図２】市販ヨウ素系偏光板と茶染料系偏光板を角度を変えて重ねたときの４００nmから８００nmまでの光の透過率
【図３】サングラスのフレームの裏側にレールを彫り、糸を結んだ裏面偏光板がレールに沿ってスライドして回転出来る様にしたもの
【図４】サングラスのフレームの裏側にレールを彫り、偏光板に結んだ糸がレール上をスライドする様にして、偏光板を回転出来る様にしたもの
【図５】従来の偏光サングラスの左右偏光レンズ部分のフレームの裏側にレールを彫り、レールに裏面の偏光板を乗せ、裏面の偏光板に結んだ糸がレールの上をスライドして、一方の裏面偏光板の操作でもう一方の裏面偏光板も同時に回転出来る様にしたもの
【図６】横／縦比１、３の楕円形偏光板を2枚重ね、裏面の偏光板を左右に20度づつ回転した時の前面の偏光板との周辺のズレを示す図
【図７】横／縦比１、３の2枚の楕円形の偏光板を重ね、裏面偏光板を左右に25度づつ回転した時の前面偏光板との周辺のズレを示す図
【図８】サングラスのフレームの裏に付けたレールの上を裏面偏光板を結んだ糸がスライドして裏面偏光板を回転するようにしたもので、裏面偏光板がレールの後ろを回転する様にしたもの
【考案を実施するための形態】
【０００８】
吸収軸が水平方向を向いた偏光板が入った偏光サングラスのフレーム枠の裏面にレールを作り、糸がレールの上を移動して、糸でつながれた裏面偏光板を回転させられるようにし、表裏2枚の偏光板の角度によって、光透過率、および、色を変えられるようにしたサングラス
【産業上の利用可能性】
【０００９】
本発明は光透過率と色を調整出来る偏光サングラスを製造する産業で利用される。
【図１】
0003199581.tif 000004
【図２】
0003199581.tif 000005
【図３】
0003199581.tif 000006
【図４】
0003199581.tif 000007
【図５】
0003199581.tif 000008
【図６】
0003199581.tif 000009
【図７】
0003199581.tif 000010
【図８】
0003199581.tif 000011
【手続補正書】
【提出日】平成27年6月24日(2015.6.24)
【手続補正１】
【補正対象書類名】実用新案登録請求の範囲
【補正対象項目名】請求項１
【補正方法】変更
【補正の内容】
【請求項１】
通常の眼鏡枠とレンズ部分からなるサングラスで、レンズ部分に表裏２枚の横幅／縦幅の比が１.０５以上１.５以下の偏光板を使用し、表側の偏光板は偏光吸収軸が水平方向を向くように枠に固定し、左右のレンズ部分を囲む枠の裏面に枠に沿って環状のレールを作り、糸を左右の環状のレールにたすき掛けしてかけ、糸に左右の裏面偏光板をつなぎ、一方の裏面偏光板を回転した時、他方の裏面偏光板も同時に回転出来るようにし、レール上に障壁を設けて回転角度が６０度以下となるようにしたサングラスで、裏面の偏光板の吸収軸方向の直線偏光の光透過率が前面の偏光板の吸収軸方向の直線偏光の光透過率の１０倍以上とするか、または、１０倍未満とし、回転した時裏面偏光板の吸収軸が水平に対し７０度を越えない範囲で６０度以下回転出来る様に偏光板を設置したサングラス。